(57)【要約】【課題】筐体を傾斜させるときに筐体と台座の天面との間に利用者が指先を挟んでしまうのを防止する。【解決手段】台座２０を構成するスタンド部２１の天面は、回転軸Ｘからスタンド部２１の天面の頂点までの距離を曲率半径とする円弧状に形成されている。一方、筐体１０の底面は、そのスタンド部の天面と近接する部分が、スタンド部２１の天面との間に略一定の隙間を有する、円弧状に形成されている。さらに、筐体１０を構成するリアキャビネット１２の底面に、円弧状部の前後に、隙間への指先の侵入を阻止するリブ１２ｄ，１２ｅを設けた。【選択図】図１
2008298916.tif 000002
【特許請求の範囲】
【請求項１】
映像情報を表示する液晶パネルを備えた液晶モジュールと、
前記液晶モジュールを収容する筐体と、
前記筐体を保持するアームと、
前記アームの一端を回転軸のまわりに回動可能に支持する支持部材と、前記回転軸及び支持部材が内部に配置されるスタンド部とを有する台座と、を備え、
前記筐体の底面が前記スタンド部の天面に近接するように配置されている液晶表示装置であって、
前記スタンド部の天面は、前記回転軸から前記スタンド部の天面の頂点までの距離を曲率半径とする円弧状に形成されるとともに、
前記筐体の底面は、その前記スタンド部の天面と近接する部分が、前記スタンド部の天面との間に略一定の隙間を有する、円弧状に形成され、
前記筐体の底面には、円弧状部の前後に、前記隙間への指先の侵入を阻止する障壁が設けられたことを特徴とする液晶表示装置。
【請求項２】
前記隙間が、０．７ｍｍであることを特徴とする請求項１に記載の液晶表示装置。
【請求項３】
前記スタンド部は天面に開口部を有し、前記アームは前記開口部を介してその一部が前記スタンド部の内部に格納されていることを特徴とする請求項１又は２に記載の液晶表示装置。
【発明の詳細な説明】
【技術分野】
【０００１】
本発明は、テレビジョン放送の映像を液晶パネルに表示する液晶表示装置に関し、特に、液晶パネルを収容した筐体を傾斜可能に支持する台座を備えた液晶表示装置に関するものである。
【背景技術】
【０００２】
液晶表示装置は、ＣＲＴに比べて極めて奥行きが小さく省スペース化を実現できるという利点を有する。そして、表示部である液晶パネルは比較的軽量であることから、液晶パネルを任意に傾斜可能なチルト機構を備えた液晶表示装置が提案されている。このチルト機構により、液晶表示装置の利用者は液晶パネルを好みの角度に調整して視認性を向上させることができる。
【０００３】
また、机上や卓上に載置して使用することを前提とした液晶表示装置においては、液晶パネルを安定して支持する必要があるため、液晶パネルを収容した筐体とアームを数本のネジによって結合し、アームの他端を台座に取り付けるようにした構成が知られている（特許文献１参照）。
【０００４】
図３は、特許文献１に開示された従来の液晶表示装置のチルト機構の一例を示す側面断面図であり、図４は図３に示すチルト機構により液晶表示装置の筐体を傾斜させた状態を示す図である。
【０００５】
図３に示すように、液晶表示装置２００は、液晶パネル（不図示）を備えた液晶モジュール４０と、該液晶モジュール４０を収容するフロントキャビネット１１及びリアキャビネット１２から成る筐体１０と、該筐体を支持するアーム３０と、アーム３０の下半部を格納するスタンド部２１と卓上に安定して設置するための底面部２２を有する台座２０と、で構成される。
【０００６】
フロントキャビネット１１は、正面から見て略矩形の平板形状をなし、前面に液晶パネルの表示部を臨ませる矩形の表示窓１１ａが開口形成されている。フロントキャビネット１１の前面下端部の内壁面には、ボス１１ｂが突設されている。図示を省略するが、筐体１０の内部には、液晶モジュールの他、制御回路ユニット及び電源ユニット等が組み込まれている。
【０００７】
また、リアキャビネット１２の底面には、スリット状開口１２ａが形成されている。リアキャビネット１２の背面下端部には、リアキャビネット１２の背後からネジ５０を差し込むための凹部１２ｃを有する筒状部１２ｂが、フロントキャビネット１１のボス１１ｂに対応する位置に突設されている。筒状部１２ｂの前端面は、ボス１１ｂの後端面とアーム３０の厚みとほぼ一致する間隔を置いて対向している。
【０００８】
一方、台座２０は、卓上に安定して載置するための円盤状の底面部２２と、天面２１ｂに開口部を有するスタンド部２１とを有し、両者は一体的に成形されてなる。ここで、筐体１０を安定して支持できるように、底面部２２及びスタンド部２１の重量や形状は設計される。
【０００９】
アーム３０の一端は、筐体１０の底面に形成されたスリット状開口１２ａに挿入され、複数のネジ５０により、フロントキャビネット１１のボス１１ｂに取り付けられる。また、アーム３０の他端は、スタンド部２１の内部に筐体１０の下縁と平行に設けられた回動軸Ｘに回動自在に結合される。
【００１０】
また、リアキャビネット１２の底面には、スリット状開口１２ａが形成されている。リアキャビネット１２の背面下端部には、リアキャビネット１２の背後からネジ５０を差し込むための凹部１２ｃを有する筒状部１２ｂが、フロントキャビネット１１のボス１１ａに対応する位置に突設されている。
【特許文献１】特開２００６−６４７８６号公報
【発明の開示】
【発明が解決しようとする課題】
【００１１】
図３及び図４に示すように、従来の液晶表示装置２００においては、スタンド部２１の天面は、所定の曲率半径で円弧状に形成され、筐体１０の底面に近接されるようにしているが、筐体１０の底面は、前後方向にほぼ水平（又は水平に近い斜面）に形成されているため、チルト機構を用いて筐体１０を前後に傾斜させると、スタンド部２１の天面と筐体１０の底面との隙間が変異することとなる。
【００１２】
このため、スタンド部２１の天面を手で押さえながら筐体１０を前後に傾斜させると、筐体１０とスタンド部２１との隙間に指先が挟まれてしまう危険性がある。また、何度も試作し確認したり、フィーリング的な判定なところもあり、金型を変更せざるを得ない場合もあり、検討に時間が掛かり、試作費、金型変更費など余分なコストが掛かっていた。
【００１３】
本発明は、筐体を傾斜させるときに筐体と台座の天面との間に利用者が指先を挟んでしまうのを防止できる安全性に優れた液晶表示装置を提供することを目的とする。
【課題を解決するための手段】
【００１４】
上記目的を達成するために本発明の請求項１に係る液晶表示装置は、映像情報を表示する液晶パネルを備えた液晶モジュールと、前記液晶モジュールを収容する筐体と、前記筐体を保持するアームと、前記アームの一端を回転軸のまわりに回動可能に支持する支持部材と、前記回転軸及び支持部材が内部に配置されるスタンド部とを有する台座と、を備え、前記筐体の底面が前記スタンド部の天面に近接するように配置されている液晶表示装置であって、前記スタンド部の天面は、前記回転軸から前記スタンド部の天面の頂点までの距離を曲率半径とする円弧状に形成されるとともに、前記筐体の底面は、その前記スタンド部の天面と近接する部分が、前記スタンド部の天面との間に略一定の隙間を有する、円弧状に形成され、前記筐体の底面には、円弧状部の前後に、前記隙間への指先の侵入を阻止する障壁が設けられたことを特徴としている。
【００１５】
また、本発明の請求項２に係る液晶表示装置は、請求項１に記載の液晶表示装置において、前記隙間が、０．７ｍｍであることを特徴としている。
【００１６】
また、本発明の請求項３に係る液晶表示装置は、請求項１又は２に記載の液晶表示装置において、前記スタンド部は天面に開口部を有し、前記アームは前記開口部を介してその一部が前記スタンド部の内部に格納されていることを特徴としている。
【発明の効果】
【００１７】
請求項１に係る液晶表示装置によると、台座を構成するスタンド部の天面と筐体の底面との隙間は障壁によって障蔽され、隙間への指先の侵入が阻止されるため、隙間に指先が挟まれてしまうことを完全に防止することができる。また、この形状を確立することによって、レイアウト設計が容易になり、何度も試作し確認する必要もなくなり、金型変更も不要となり、時間やコストの削減が図られる。
【００１８】
また、請求項２に係る液晶表示装置によると、不注意に指先を侵入させてしまうほど隙間が広すぎることもなく、また、スムーズな筐体の傾斜動作を妨げるほど隙間が狭すぎるということもなく、丁度良い隙間の大きさとなる。
【００１９】
また、請求項３に係る液晶表示装置によると、利用者の使用形態を考慮して液晶パネルを底面から所定の高さ（例えば１０ｃｍ）で設置する場合でも、アームの露出部分を少なくすることができるので、外観上優れた液晶表示装置を提供することができる。
【発明を実施するための最良の形態】
【００２０】
以下、本発明の好適な実施の形態を図面に基づいて説明する。
【００２１】
図１は本発明の実施の形態に係る液晶表示装置のチルト機構の一例を示す側面断面図であり、図２は図１に示すチルト機構により液晶表示装置の筐体を傾斜させた状態を示す図である。
【００２２】
図１に示すように、本実施形態に係る液晶表示装置１００は、液晶パネル（不図示）を備えた液晶モジュール４０と、該液晶モジュール４０を収容するフロントキャビネット１１及びリアキャビネット１２から成る筐体１０と、該筐体を支持するアーム３０と、アーム３０の下半部を格納するスタンド部２１と卓上に安定して設置するための底面部２２を有する台座２０と、で構成される。
【００２３】
フロントキャビネット１１は、正面から見て略矩形の平板形状をなし、前面に液晶パネルの表示部を臨ませる表示窓１１ａが開口形成されている。フロントキャビネット１１の前面下端部の内壁面には、ボス１１ｂが突設されている。図示を省略するが、筐体１０の内部には、液晶モジュールの他、制御回路ユニット及び電源ユニット等が組み込まれている。
【００２４】
また、リアキャビネット１２の底面には、スリット状開口１２ａが形成されている。リアキャビネット１２の背面下端部には、リアキャビネット１２の背後からネジ５０を差し込むための凹部１２ｃを有する筒状部１２ｂが、フロントキャビネット１１のボス１１ｂに対応する位置に突設されている。筒状部１２ｂの前端面は、ボス１１ｂの後端面とアーム３０の厚みとほぼ一致する間隔を置いて対向している。
【００２５】
一方、台座２０は、卓上に安定して載置するための円盤状の底面部２２と、天面２１ｂに開口部を有するスタンド部２１とを有し、両者は一体的に成形されてなる。
【００２６】
アーム３０の一端は、筐体１０の底面に形成されたスリット状開口１２ａに挿入され、複数のネジ５０により、フロントキャビネット１１のボス１１ｂに取り付けられる。また、アーム３０の他端は、スタンド部２１の内部に筐体１０の下縁と平行に設けられた回動軸Ｘに回動自在に結合される。
【００２７】
スタンド部２１の横幅は液晶パネルの横幅より若干小さく、縦断面は略台形状をしている。そして、スタンド部２１の内部には、回転軸Ｘと、アーム３０の一端を回転軸Ｘのまわりに回動可能に支持する支持部材２３と、が配置されている。また、利用者の使用形態を考慮して筐体１０は所定の高さで配置されるが、アーム３０が外部に露出されて外観が損なわれないように、スタンド部２１は所定の高さ（例えば５ｃｍ）を有し、開口部を介してアーム３０の下半部が格納されるようにしている。なお、台座２０を構成する底面部２２及びスタンド部２１は、筐体１０を安定して支持できるようにその重量や形状が設計される。
【００２８】
アーム３０は、板状部材の両端下部を折り曲げ加工して、回転軸Ｘのまわりに支持される支持部３０ａを形成したものである。アーム３０の上部には複数の貫通穴（不図示）が形成される。そして、複数のネジ５０が、リアキャビネット１２の筒状部１２ｂ内の凹部１２ｃとアーム３０の貫通穴を介してフロントキャビネット１１のボス１１ｂに螺合される。これにより、アーム３０が、リアキャビネット１２と共にフロントキャビネット１１に対して共締めされるため、筐体１０とアーム３０は堅牢に結合されることになる。
【００２９】
また、アーム３０の他端は、スタンド部２１の内部に筐体１０の下縁と幅方向において平行に設けられた回動軸Ｘに回動自在に結合されている。このような構成により、筐体１０は所定の角度範囲（例えば、回転軸Ｘの垂線方向に対して５°〜−２０°）で傾斜可能となる。なお、回転軸の支持機構及びアームの回動機構は特に制限されず、公知技術を適用することができるので説明は省略する。
【００３０】
本実施形態では、スタンド部２１の天面を円弧状に形成している。具体的には、スタンド部２１の天面は、回転軸Ｘからスタンド部２１の天面の頂点までの距離Ｒを曲率半径とする円弧状に形成されている。また、筐体１０を構成するリアキャビネット１２の底面は、そのスタンド部２１の天面と近接する部分が、スタンド部２１の天面との間に略一定の隙間（例えば、０．７ｍｍ）を有する、円弧状に形成されている。さらに、リアキャビネット１２の底面には、上記円弧状部の前後に、上記隙間への指先の侵入を阻止するリブ（障壁）１２ｄ、１２ｅが設けられている。
【００３１】
これにより、図１及び図２に示すように、筐体１０の底面はスタンド部２１の天面に沿って移動することとなり（すなわち、筐体１０の底面とスタンド部２１の天面の隙間は一定）、筐体１０とスタンド部２１が接触することはあり得ない。また、筐体１０の底面とスタンド部２１の天面の隙間は、リブ１２ｄ、１２ｅによって障蔽され、隙間への指先の侵入が阻止される。
【００３２】
このように、本実施形態の液晶表示装置１００においては、筐体１０とスタンド部２１の天面２１ａとの隙間を一定にすることができ、かつ、この隙間はリブ１２ｄ、１２ｅによって障蔽されるので、利用者が筐体１０を傾斜させようとしたときに筐体１０とスタンド部２１との間に誤って指先を挟まれてしまうという危険性を排除することができる。
【００３３】
以上、本発明者によってなされた発明を実施形態に基づいて具体的に説明したが、本発明は上記実施形態に限定されるものではなく、その要旨を逸脱しない範囲で変更可能である。
【００３４】
例えば、台座２０を構成する底部２２及びスタンド部２１の形状、アーム３０の形状、筐体１０へのアーム３０の取付構造等は上記実施形態に制限されない。
【００３５】
また、上記実施形態では、スタンド部２１の天面２１ａ全体を曲率半径Ｒの円弧状に形成しているが、少なくとも、筐体１０を傾斜させる範囲（例えば５°〜−２０°）においてスタンド部２１の天面２１ｂを円弧状に形成すればよい。また、スタンド部２１の天面２１ａをアーム３０の回転軸Ｘからスタンド部２１の天面２１ａの頂点までの距離Ｒよりも小さな曲率半径で円弧状に形成しても同様の効果を得ることができる。
【産業上の利用可能性】
【００３６】
本発明は、台座に液晶パネルを傾斜させるための回転軸を備え、該回転軸を格納する台座の天面に近接して液晶パネルが配置されている液晶表示装置に適用することができる。
【図面の簡単な説明】
【００３７】
【図１】は、本発明の実施の形態に係る液晶表示装置のチルト機構の一例を示す側面断面図である。
【図２】は、図１に示すチルト機構により液晶表示装置の筐体を傾斜させた状態を示す図である。
【図３】は、従来の液晶表示装置のチルト機構の一例を示す側面断面図である。
【図４】は、図３に示すチルト機構により液晶表示装置の筐体を傾斜させた状態を示す図である。
【符号の説明】
【００３８】
１０  筐体
１１  フロントキャビネット
１２  リアキャビネット
１２ｄ、１２ｅ  リブ（障壁）
２０  台座
２１  スタンド部
２２  底面部
３０  アーム
４０  液晶モジュール
１００  液晶表示装置
Ｘ  回転軸
【図１】
2008298916.tif 000003
【図２】
2008298916.tif 000004
【図３】
2008298916.tif 000005
【図４】
2008298916.tif 000006